(57)【特許請求の範囲】
【請求項１】
外殻体内部にコンピュータのカーソルの移行を司る検知回路及び出力インターフェース回路を備えたマウスにおいて、
外殻体の表面にコンピュータのカーソルの移行を司るボール及びコンピュータの機能を選択する複数個のファンクションボタンを設け、
外殻体の側面に指を挿入する挿指孔を設けると共に、外殻体の下部に挿指孔に対して直交する方向に伸びて別の指で握ることができる把手を設け、挿指孔に挿入された指と把手を握る指とによって前記マウスを挟み付けて片手で握るようにし、握った手の親指先でボール及びファンクションボタンを操作することができることを特徴とする把手を備えたマウス。
【請求項２】
外殻体の表面の上部に前記ボールを、中央部に前記複数個のファンクションボタンを設けるか、
または、外殻体の表面の上部に前記ファンクションボタンを、中央部に前記ボールを設けることを特徴とする請求項１記載の把手を備えたマウス。
【請求項３】
外殻体のボール及びファンクションボタンの位置する部分は幅の広い円形で、該部分よりも下部は漸次細くなる握部を呈する形状をなすことを特徴とする請求項１記載の把手を備えたマウス。
【請求項４】
前記出力インターフェース回路は、マウスとコンピュータとをワイヤで接続するか、または無線によって接続することを特徴とする請求項１記載の把手を備えたマウス。
【請求項５】
外殻体は、ボール及びファンクションボタンの位置する正面部材と、挿指孔を形成して縦に中央で２分される２つの殻体部材との複数の部材で構成されることを特徴とする請求項１記載の把手を備えたマウス。
【請求項６】
外殻体は、同質または異なる材質により単独に作られた複数の部材が組み合わされて構成されることを特徴とする請求項１ないし５のいずれか１項に記載の把手を備えたマウス。
【発明の詳細な説明】
【０００１】
【発明の属する技術分野】
本発明は、コンピュータのカーソルを制御するマウスの構成に関するものである。
【０００２】
【従来の技術】
通常のコンピュータ用マウスの構成は、外殻体の底部にカーソルの移行を制御する制御ボールを埋め込み、底面よりボールの表面が僅かに突出していて、外殻体をテーブルの表面あるいはマウスパッド上を水平に移動してボールを回転し、カーソルを移行する制御信号を伝送する。また他の構成としては、コンピュータのキーボードの手前側、または側面にボールを表面が僅かに突出するように埋め込み、ボールの突出部を指先で回転してカーソルの移行を制御する。
外殻体の上部にはコンピュータへの機能を選択するファンクションボタンを２〜３個設け、ファンクションボタンを指先で押すことによって、コマンドの実行あるいは取消し等の機能を行う。
【０００３】
【発明が解決しようとする課題】
かかる従来のマウスの構成は、操作するのに机の表面あるいはマウスパッドに依存していて、机の表面から手を離すとその機能を果たすことができない。また、マウスパッド上で操作する場合、移動範囲が多いと、一回の移動ではマウスパッドの広さの範囲を越えてしまうので、一度ボールが回転しないようにしてマウスパッドから離して、再度マウスパッド上に接触させ、移動を続ける操作をしなければならず、必ずしも使い勝手の良いものとは言えない。
本発明は、マウスの外殻体の表面にボールを設け、外殻体に指を通す挿指孔を少なくとも１つ設けるか、あるいは数本の指が入る環状把手を設け、マウス自体を手中に握り易く構成し、親指の先でボールを自由自在に回転できるようにして、前記従来の問題点を解決しようとするものである。
【０００４】
【課題を解決するための手段】
前述した問題点を解決するために、本発明の請求項１記載の発明は、外殻体内部にコンピュータのカーソルの移行を司る検知回路及び出力インターフェース回路を備えたマウスにおいて、
外殻体の表面にコンピュータのカーソルの移行を司るボール及びコンピュータの機能を選択する複数個のファンクションボタンを設け、
外殻体の側面に指を挿入する挿指孔を設けると共に、外殻体の下部に挿指孔に対して直交する方向に伸びて別の指で握ることができる把手を設け、挿指孔に挿入された指と把手を握る指とによって前記マウスを挟み付けて片手で握るようにし、握った手の親指先でボール及びファンクションボタンを操作することができることを特徴とするものである。
また、請求項２記載の発明は、請求項１記載の発明において、外殻体の表面の上部に前記ボールを、中央部に前記複数個のファンクションボタンを設けるか、または、外殻体の表面の上部に前記ファンクションボタンを、中央部に前記ボールを設けることを特徴とする。
また、請求項３記載の発明は、請求項１記載の発明において、外殻体のボール及びファンクションボタンの位置する部分は幅の広い円形で、該部分よりも下部は漸次細くなる握部を呈する形状をなすことを特徴とする。
【０００５】
また、請求項４記載の発明は、請求項１記載の発明において、前記出力インターフェース回路が、マウスとコンピュータとをワイヤで接続するか、または無線によって接続することを特徴とする
また、請求項５記載の発明は、請求項１記載の発明において、外殻体は、ボール及びファンクションボタンの位置する正面部材と、挿指孔を形成して縦に中央で２分される２つの殻体部材との複数の部材で構成されることを特徴とする。
また、請求項６記載の発明は、請求項１ないし５のいずれか１項に記載の発明において、外殻体は、同質または異なる材質により単独に作られた複数の部材が組み合わされて構成されることを特徴とする。
【０００６】
【発明の実施の形態】
図１に本発明の第１の実施の形態を示す。（ａ）に示すようにマウス１０Ａの構成は、外殻体１Ａの表面にコンピュータのカーソルの移行を司るボール１１及びコンピュータの機能を選択する角状の複数個（図１の場合は３個）のファンクションボタン１３Ａを設けたものである。
【０００７】
マウスにおいて、その回転させる軌跡球，即ちボールの構成は、抵抗タイプ、コンデンサータイプ、光学タイプ、パルスタイプ、エンコーダタイプ等によりアナログまたはディジタル信号を生成するもので、そのボールの移行感知方法としては、指で操作する誘導タイプ、圧力タイプ、光学タイプ、可変抵抗タイプ、可変コンデンサータイプ等の非機械検知機構により感知するものである。また、コンピュータ本体とのインターフェイスは、マウスとコンピュータとをワイヤで接続するもの、または赤外線、超高周波などによる無線の接続方式によるものである。
【０００８】
外殻体１Ａの形状は、（ｄ）に示すように正面からみるとボール１１及びファンクションボタン１３Ａの位置する上部は幅の広い円形で、下部は漸次細くなる握部を呈し、（ｃ）に示すように側面からみると楕円形で、その内部にやはり楕円形の挿指孔１２Ａを設けたものである。上面からみると（ｂ）のように表面は盛り上がって、その表面よりボール１１及びファンクションボタン１３Ａが突出したものである。
【０００９】
外殻体１Ａの構成は、（ａ）、（ｂ）、（ｄ）に示すように、ボール１１及びファンクションボタン１３Ａの位置する正面部材と、挿指孔１２Ａと下部の握部を構成する縦に中央で２分される左右対称の２つの殻体部材との複数の部材で形成される。これら部材は同質または異なる材質の例えばプラスチック材により単独に作られ、組み合わされて外殻体１Ａが構成される。さらに、ボール１１、２〜３個のファンクションボタン１３Ａ及び外殻体１Ａ内部に実装される検知、制御回路構成部品等の単独なパーツを組み込んでマウス１０Ａは作られる。
【００１０】
前記、第１の実施の形態の動作を説明すると、外殻体１Ａの挿指孔１２Ａに手の親指を除く４本の指を挿入してマウス１０Ａを手中に保持し、表面側に位置する親指をもってボール１１を任意に廻してカーソルを移行し、また、親指をもってファンクションボタン１３Ａのいずれかを押すことでコンピュータの機能を選択制御する。
前記のようにマウス１０Ａを操作することによって、腕をコンピュータを設置した机より離した状態で、または机上にマウスパッドがなくても、どんな方向、角度に係わらず安定に操作することができる。
【００１１】
図２に本発明の第２の実施の形態を示す。（ａ）に示すように第２の実施の形態では、外殻体１Ｂは卵形をしており、（ｄ）に示すように正面からみると、外殻体１Ｂの表面の上部に楕円状の３個のファンクションボタン１３Ｂを、中央部にボール１１を、（ｃ）に示すように側面に楕円形の挿指孔１２Ｂを設けたものである。これは第１の実施の形態とボール１１及びファンクションボタン１３Ａ、１３Ｂの位置の上、下を逆にしたものであって、従って、ボール１１及びファンクションボタン１３Ａ、１３Ｂの両者の位置は特定されるものではない。
第２の実施の形態の動作は、第１の実施の形態と同じく、親指を除く４本の指を挿指孔１２Ｂに挿入して、外殻体１Ｂは更に小型であるので、マウス１０Ｂを手中に握って親指でボール１１及びファンクションボタン１３Ｂを操作するものである。
【００１２】
図３に本発明の第３の実施の形態を示す。（ａ）に示すものにおいては、第２の実施の形態におけるマウスの外殻体の形状をより一層握り易くするように、マウス１０Ｃの外殻体１Ｃの下部に適当な弧状を呈した把手１４を設けたものである。（ｄ）に示すように正面上部にボール１１を、中央部に角状の３個のファンクションボタン１３Ｃを配し、（ｃ）に示す楕円形の挿指孔１２Ｃに手の第２、３指を挿入し、把手１４で手の第４、５指を支えることによって、容易にマウス１０Ｃを保持することができ、表面のボール１１及びファンクションボタン１３Ｃを親指で操作するようにしたものである。
【００１３】
図４に本発明の第４の実施の形態を示す。（ａ）に示すようにマウス１０Ｄの外殻体１Ｄは卵形で、（ｄ）に示すように正面上部にボール１１を、中央部に楕円状の３個のファンクションボタン１３Ｄを設け、（ｃ）の側面図の通り楕円形の側面に手の指を２本ずつ挿入できるようにした２個の挿指孔１５ａ、１５ｂを設けたものである。挿指孔１５ａに指の第２、３指を、挿指孔１５ｂに指の第４、５指を挿入して、指で挿指孔１５ａ、１５ｂを挟み込むように外殻体１Ｄを保持し、マウス１０Ｄを容易に握ることができる。表面のボール１１及びファンクションボタン１３Ｄを親指で操作する。
【００１４】
図５に本発明の第５の実施の形態を示す。（ａ）に示すようにマウス１０Ｅの外殻体１Ｅは卵形で、（ｄ）にみるように正面上部に楕円状の３個のファンクションボタン１３Ｅを、中央部にボール１１を設け、（ｃ）の側面図の通り楕円形の側面に手の指を２本ずつ挿入できるようにした２個の挿指孔１５ａ、１５ｂを設けたものである。挿指孔１５ａに指の第２、３指を、挿指孔１５ｂに指の第４、５指を挿入して、指で挿指孔１５ａ、１５ｂを挟み込むように外殻体１Ｅを保持し、マウス１０Ｅを容易に握ることができる。表面のボール１１及びファンクションボタン１３Ｅを親指で操作する。
【００１５】
図６に本発明の第６の実施の形態を示す。（ａ）に示すものはマウス１０Ｆの卵形の外殻体１Ｆの後面に設けた２つの対応した係止溝２ａに、弾力を持つ環状把手２の両端を埋め込むように嵌合したものである。（ｂ）に示すものはマウス１０Ｆの卵形の外殻体１Ｆの後面に設けた２つのネジ孔に、クローズド環状把手３の片側面をボルト４で取り付けたものである。何れの場合においても、外殻体１Ｆの後面に形成された環状把手２、３に片手の第２〜５指を挿入しマウス１０Ｆを握って、表面上部のボール１１及び中央部のファンクションボタン１３Ｆを親指で操作するものである。
【００１６】
【発明の効果】
以上説明したように、本発明によれば、外殻体の表面にコンピュータのカーソルの移行を司るボール及びコンピュータの機能を選択する複数個のファンクションボタンを設け、外殻体に指を挿入する把手を設けてマウスを片手で握るようにし、指先でボール及びファンクションボタンを操作することができるようにしたので、腕をコンピュータを設置した机より離した状態で、または机上にマウスパッドがなくても、どんな方向、角度に係わらず安定に操作することができ、至極簡便なマウスを構成することができる。
【図面の簡単な説明】
【図１】本発明の第１の実施の形態のマウスを示し、（ａ）は斜視図、（ｂ）は上面図、（ｃ）は側面図、（ｄ）は正面図である。
【図２】第２の実施の形態のマウスを示し、（ａ）は斜視図、（ｂ）は上面図、（ｃ）は側面図、（ｄ）は正面図である。
【図３】第３の実施の形態のマウスを示し、（ａ）は斜視図、（ｂ）は上面図、（ｃ）は側面図、（ｄ）は正面図である。
【図４】第４の実施の形態のマウスを示し、（ａ）は斜視図、（ｂ）は上面図、（ｃ）は側面図、（ｄ）は正面図である。
【図５】第５の実施の形態のマウスを示し、（ａ）は斜視図、（ｂ）は上面図、（ｃ）は側面図、（ｄ）は正面図である。
【図６】第６の実施の形態のマウスを示し、（ａ）は弾力を持つ環状把手を持つものの後面からみた斜視図、（ｂ）はクロズード環状把手を持つものの後面からみた斜視図である。
【符号の説明】
１Ａ〜１Ｆ    外殻体
２    環状把手
３    環状把手
１０Ａ〜１０Ｆ    マウス
１１    ボール
１２Ａ〜１２Ｃ    挿指孔
１３Ａ〜１３Ｆ    ファンクションボタン
１５ａ、１５ｂ    把手
【図１】
0004011165.tif 000002
【図２】
0004011165.tif 000003
【図３】
0004011165.tif 000004
【図４】
0004011165.tif 000005
【図５】
0004011165.tif 000006
【図６】
0004011165.tif 000007